(57)【特許請求の範囲】
【請求項１】
骨折部に架橋された骨ピン（２）で固定された骨折した骨を、圧縮する又は引っ張る創外固定器用の調整ツール（１０）であって、
該調整ツール（１０）が、
前記創外固定器のクランプアセンブリ（３）を固く保持するための嵌合要素（１２）を備え、
前記クランプアセンブリ（３）が、ロッド（１）と骨ピン（２）を同時に収容可能な、少なくとも２対の顎（３０，３１，３２，３３）と、前記顎（３０，３１，３２，３３）を固定するための固定要素（３４，３５）とを含み、
前記調整ツール（１０）が、さらに、
前記調整ツールを前記創外固定器の前記ロッド（１）上に前記クランプアセンブリ（３）に近接して固定するための位置決めクランプ（１１）と、
前記嵌合要素（１２）と前記位置決めクランプ（１１）に取り付けられ、前記嵌合要素（１２）を前記位置決めクランプ（１１）に向かって又は前記位置決めクランプ（１１）から離して移動させるように構成された連結要素（１３）とを備え、
前記嵌合要素（１２）が、
前記創外固定器の前記クランプアセンブリ（３）の最も上の顎（３３）を、前記クランプアセンブリ（３）の長手方向軸の方向に押して、上から２番目の顎（３２）を前記嵌合要素（１２）の当接部（１２９）に対して塞ぐように構成された、閉塞スリーブ（１２２）と、
骨ピン（２）を解放することなく前記クランプアセンブリ（３）の内部にある前記創外固定器の前記ロッド（１）を解放するための、前記クランプアセンブリ（３）の固定要素（３４，３５）を作動させる、前記閉塞スリーブ（１２２）内部にある作動要素（１２３）とを備える
ことを特徴とする、創外固定器用の調整ツール（１０）。
【請求項２】
前記位置決めクランプ（１１）が、前記創外固定器の前記ロッド（１）を収容するための少なくとも１つの受け部（１１４）を提供する１対の顎（１１０、１１１）を備える、請求項１に記載の調整ツール（１０）。
【請求項３】
前記位置決めクランプ（１１）が構造面（１１３）を有し、前記連結要素（１３）が相補的構造面（１１５）を有し、前記連結要素（１３）が、前記位置決めクランプ（１１）の長手方向軸によって与えられる軸を中心に、前記位置決めクランプ（１１）に対して回転可能である、請求項２に記載の調整ツール（１０）。
【請求項４】
前記連結要素（１３）が、前記嵌合要素（１２）に連結されかつ前記位置決めクランプ（１１）と固定可能に連結している延長可能要素（１３０）を備え、前記嵌合要素（１２）と前記位置決めクランプ（１１）とが直進移動可能である、請求項１〜３のいずれか１項に記載の調整ツール（１０）。
【請求項５】
前記連結要素（１３）が、前記嵌合要素（１２）内で回転可能に取付けられたねじ歯車（１３０）と、前記ねじ歯車（１３０）を収容する連結ケーシング（１３２）とを備え、前記連結ケーシング（１３２）は、前記ねじ歯車（１３０）のねじ山に対して相補的な内ねじ山（１３３）を備え、前記嵌合要素（１２）と、前記連結要素（１３）と固定可能に連結している前記位置決めクランプ（１１）との間で直進移動可能である、請求項１〜４のいずれか１項に記載の調整ツール（１０）。
【請求項６】
前記連結要素（１３）が、前記嵌合要素（１２）に固定して連結されかつ前記位置決めクランプ（１１）と固定可能に連結しているサーボモータを備え、前記嵌合要素（１２）と前記位置決めクランプ（１１）との間で直進移動可能である、請求項１〜４のいずれか１項に記載の調整ツール（１０）。
【請求項７】
前記嵌合要素（１２）が、創外固定器の前記骨ピン（２）を保持する上側の顎（３２，３３）を前記閉塞スリーブ（１２２）と前記当接部（１２９）との間で受容するための側部開口（１５０）を有し、前記側部開口は、前記側部開口（１５０）内に導入される前記創外固定器の前記クランプアセンブリ（３）の長手方向軸に平行である、請求項１〜６のいずれか１項に記載の調整ツール（１０）。
【請求項８】
前記嵌合要素（１２）が、創外固定器の前記骨ピン（２）を収容するための横開口（１２７）を有し、前記横開口（１２７）は、前記側部開口（１５０）内に導入される前記創外固定器の前記クランプアセンブリ（３）の長手方向軸に対して横向きである、請求項７に記載の調整ツール（１０）。
【請求項９】
前記閉塞スリーブ（１２２）が、前記閉塞スリーブ（１２２）を前記長手方向軸の方向に移動させるための、前記嵌合要素（１２）のケーシング（１２０）内の内ねじ山に対して相補的である外ねじ山（１２５）と、前記クランプアセンブリ（３）の前記上側の顎（３３）の上面に対して相補的な閉塞底面（１２６）とを備え、前記嵌合要素（１２）の前記当接部（１２９）が下側受け部開口（１５４）内に突出するフランジである、請求項７又は８に記載の調整ツール（１０）。
【請求項１０】
前記閉塞スリーブ（１２２）の前記作動要素（１２３）が、前記創外固定器の前記ロッド（１）を解放するための前記クランプアセンブリ（３）の前記固定要素（３４）の作動ヘッド（３５）を受容する受け部（１２４）を有する内部回転可能シャフト（１２３）である、請求項７、８、９のいずれか１項に記載の調整ツール（１０）。
【発明の詳細な説明】
【技術分野】
【０００１】
本発明は、第一骨部を第二骨部に関連した位置に固定するために適合させた創外固定器用の調整ツールに関する。調整は、圧縮又は引っ張りを包含し得る。
【背景技術】
【０００２】
通常、患者に使用される創外固定器は、少なくとも１つの骨ピンをそれぞれ受容するための少なくとも２つのクランプアセンブリを備える装置であり、好ましい態様では、各クランプアセンブリは、骨折部に渡って延びる創外固定器のロッドを受容するための第２のクランプを備えている。圧縮又は引っ張りを適用する場合は、骨折部の片側から骨をかみ合わせている対応する骨ピンの角度方向が、その方向付けを緩める危険性を伴うので、少なくとも１つのクランプアセンブリを緩めなくてはならない。
【０００３】
特許文献１は、２つのクランプアセンブリを備える一体型の調整可能固定器を開示し、これらのクランプアセンブリはそれぞれ、骨折部の各側の患者の骨に挿入される骨ピンを受容する。２つのクランプアセンブリの間の距離を変えることができるように、骨ピンを保持する２つのクランプアセンブリの間に、ねじ歯車を有する本体が設けられる。この装置により、このような２つの骨ピンの間の距離が調整可能になるので、それ自体を圧縮及び／又は引っ張りツールと考えることができる。
【０００４】
特許文献２は、２つのマルチピンクランプアセンブリが長手方向の本体に取り付けられた、調整可能な別の骨固定器を開示する。この本体は、複数のクランプ体部を異なる方向に向けることができ、２つのマルチピンクランプアセンブリの位置を変えることができる長手方向移動要素を備えている。
【０００５】
先行技術は、患者の骨の骨折部の各側に骨ピンを提供する複数のクランプアセンブリ間の距離を容易に適応させることができるが、これらは堅固な構造体を提供していない。クランプアセンブリ間に旋回する継手が存在すれば、自在継手を閉塞する何らかの力が必要となる。
【先行技術文献】
【特許文献】
【０００６】
【特許文献１】米国特許第５，３０４，１７７号明細書
【特許文献２】米国特許第７，２６１，７１３号明細書
【発明の概要】
【０００７】
この先行技術に基づき、本発明の目的は、創外固定器のこのような２つの骨ピンの距離をより確実に容易に変えることができる圧縮及び引っ張りツールを提供することである。
【０００８】
本発明のさらなる目的は、様々なクランプアセンブリとともに使用できる圧縮及び引っ張りツールを提供することである。
【０００９】
本発明のさらなる目的は、創外固定器の一部ではない、即ち、長さの変化を調整するべきときにのみ使用されるが、例えば、手足を骨折した人が着用するような創外固定器の一部ではない、圧縮及び引っ張りツールを提供することである。
【００１０】
本発明の目的は、請求項１の特徴を有するツールで達成される。
【００１１】
本調整ツールは、骨折部に架橋された骨ピンで固定された骨折した骨を圧縮する又は引っ張る創外固定器のために使用される。従って、本調整ツールは、
創外固定器のクランプアセンブリを固く保持するための嵌合要素と、
調整ツールを創外固定器のロッド上にこのクランプアセンブリに近接して固定するための位置決めクランプと、
嵌合要素と位置決めクランプに取り付けられ、嵌合要素を位置決めクランプに向かって又は位置決めクランプから離して移動させるように構成した連結要素（１３）とを備える。
【００１２】
従って、嵌合要素は、創外固定器のクランプアセンブリの最も上の顎を、クランプアセンブリの長手方向軸の方向に押して、上から２番目の顎を嵌合要素の当接部に対して塞ぐように構成された、閉塞スリーブと、骨ピンを解放することなくクランプアセンブリの内部にある創外固定器のロッドを解放するための、クランプアセンブリの固定要素を作動させる、閉塞スリーブの内部にある作動要素とを備える。
【００１３】
本発明のさらなる実施形態は従属項に記載される。
【図面の簡単な説明】
【００１４】
【図１】図１は、１つのクランプアセンブリ、１つのロッド及び１つの骨ピンと連結された本発明による装置の斜視図である。
【図２】図２は、延長要素の中心軸に沿った図１の部分的実行を示す。
【図３】図３は、図１の圧縮ツールの分解図である。
【図４】図４は、図３の圧縮ツールの断面図である。
【図５】図５は、図３の圧縮ツールを上から見た図である。
【発明を実施するための最良の形態】
【００１５】
本発明の好ましい実施形態を、図面を参照して以下に記載する。図面は本発明の好ましい実施形態を説明する目的のものであり、本発明を限定する目的のものではない。
【００１６】
図１は、創外固定器とともに使用される圧縮ツール１０の部分的説明図を示し、このような創外固定器の一部の部品を示している。骨折部の圧縮は、骨折部上の２つの骨ピン間の距離の最も一般的な調整なので、以下の説明を通して、ツール１０は常に圧縮ツールとして述べられるが、このような骨ピンの間の距離を広げることもできるので、このツールは引っ張りツールとしても使用可能である。従って、このツールは実際には圧縮と引っ張りツールを結合した調整ツールである。
【００１７】
創外固定器用のツール１０が一緒に使用することを意図している創外固定器は、図中には示されない第一のクランプアセンブリを備える。手足の骨折部の一方の側に骨ピンを取り付けるための、この第一のクランプアセンブリは、ロッド１に連結されて骨折部に架橋される。骨折部の他方の側では、第二のクランプアセンブリ３がロッド１に取り付けられ、かつ、第二の骨ピン２を備えており、この第二の骨ピン２は、創外固定器の第一のクランプアセンブリに接続された上述の骨ピン（図中に示されていない）を考慮して、骨折部の他方の側の骨に挿入することを意図されている。クランプアセンブリ３は、図２の断面図に示される幾つかの要素を有する。第二のクランプアセンブリ３は、出願人の同時係属の米国特許出願１２／７８０，２３１によるクランプアセンブリである。これはまた、ＥＰ０７００６６４によるクランプアセンブリであってもよい。
【００１８】
いずれの場合も、２対の顎を有し、顎３０と３１の下側の対は、ロッド１とピン２を収容するための受け部３６を提供する。さらに顎３２と３３の上側の対もまたロッド１とピン２を収容するための受け部３６を備える。顎３０，３１，３２，３３の対は、ヘッド３５を通して作動される連結ねじ３４で連結される。このねじ３４は、第二のクランプアセンブリ３の長手方向軸に沿って延びる。このようなクランプアセンブリ３は、類似の構造のＥＰ７００６６４からも公知である。この文脈において、このクランプアセンブリは、ロッド１と骨ピン２を同時に収容することを可能とする少なくとも２対の顎３０，３１，３２，３３を有することだけが重要である。これらは市販の例であり、その内部の中間の顎３１と３２をひとつの単一の顎に置き換えてもよい。ロッド１とピン２が同じ高さに位置されるべきではないことを考慮すると、異なる高さに、異なる複数の受け部３６、又は、複数の受け部３６に適合する複数の挿入部分があることが好ましい。
【００１９】
このようなクランプアセンブリ３の外形は通常、円筒形、又はほぼ円筒形である。しかし、上から見て、四角形又は長方形の断面を有してもよい。上述のように、第一及び第二のクランプアセンブリは、骨折部の２つの側に２つ以上の骨ピン２を固定するために使用され、ロッド１は、堅固な構造体と、骨ピン２の規定の距離、位置及び方向を確立するために使用される。
【００２０】
このような創外固定器の使用中には、２つの骨折した骨部を、一方を他方の方向に移動させなければならない（即ち、圧縮移動）、又は、反対の方向に移動させなければならない（即ち、引っ張り）ことを考えなければならない。先行技術の解決方法によると、クランプアセンブリに渡したねじ歯車（ｗｏｒｍ）を、距離を変えるために作動しなければならない。 
【００２１】
創外固定器により高い強度を与える、堅固で固定されたロッド１を備えるこの文脈では、このような圧縮又は引っ張りは、ヘッド３５を回転させて作動ねじ３４を緩めなければ可能とはならない。しかし、これによりロッド１に沿って下側の顎３０と３１を滑らすことが可能となるだけではなく、骨ピン２を保持しているクランプ顎３２と３３をも開いてしまう。 
【００２２】
本発明によれば、以下のような圧縮ツール１０の使用が提案される。
【００２３】
図１〜５に見られるように、圧縮ツール１０は、ロッド１に締め付けられるように構成された位置決めクランプ１１と、位置決めクランプ１１を、クランプアセンブリ３を固く保持するように構成された嵌合要素１２と連結する連結要素１３とを備える。
【００２４】
位置決めクランプ１１は、受け部１１４を提供する下側の顎１１０と上側の顎１１１を備える。図示した実施形態では、異なるサイズの３つの受け部１１４がある。１つの受け部１１４がロッド１を収容するように構成されることが重要である。ワッシャ１１６に対して長手方向ねじ１１２を作動させることにより、顎１１０と１１１が閉じ、ロッド１が締め付けられる。ねじ１１２は顎１１１を超えて、連結要素１３の連結体１３２内に延びる。
【００２５】
簡易な実施形態では、顎１１１と連結体１３２をひとつの単一の要素に結合させることが可能である。しかし、顎１１１の下側構造面１１３と、相補的な連結体１３２の相補的構造面とを有する２つの異なる要素を有することが好ましい。これにより、顎１１０と１１１を、ねじ１１２の長手方向軸の周囲に回転させることができ、対応するサイズの受け部１１４を選択してロッド１を収容することができる。 
【００２６】
連結体１３２は内ねじ山１３３を有する貫通穴を有し、この内ねじ山１３３は位置決めクランプ１１の上述の固定ねじ１１２の軸に垂直に方向づけられている。連結体１３２はまた、ねじ１１２の長手方向軸の近傍に上部開口１３５を有する。
【００２７】
連結要素１３は、内ねじ山１３３を備える連結体１３２の穴の中で回転するように構成された外ねじ山を有するねじ歯車１３０を備える。ねじ歯車１３０は、一方の端にフランジ１３７と回転ノブ１３４を有する。上部開口１３５の両側で２つの部分に分かれた連結体１３２の穴は、相補的な内ねじ山１３３を有する必要はない。図２に示した実施形態では、フランジ１３７に隣接する穴は内ねじ山を有さない。
【００２８】
ねじ歯車１３０は、その他方の側に、中央穴１３８と、導入させて嵌合要素１２のケーシングと連結させることを意図して直径を小さくしたねじ山のない円筒形スリーブ１３９を有する。嵌合要素１２のケーシング１２０は、上から見ると、Ｃ字形状であり、嵌合要素の閉じた部分が連結体１３２の方向を向いている。ケーシング１２０は、ねじ歯車１３０の相補的スリーブ１３９を収容するための穴を有する。ねじ歯車１３０は対向ねじ１３６で上記穴に固定されて、ねじ歯車１３０の回転を可能にする。対向ねじ１３６はケーシング１２０内の穴より大きいヘッドを有する。従って、ねじ歯車１３０の回転によってケーシング１２０とねじ歯車１３０のフランジ１３７の間で連結体１３２の位置を変えることは明らかである。対向ねじ１３６とねじ歯車１３０との固定された関係は、特に粘着によって達成でき、あるいは、ピンの使用又は溶接等で固定することもできる。
【００２９】
嵌合要素１２は、ねじ歯車１３０と固定された回転関係にあるケーシング１２０のそばに、ケーシング１２０の上部付近に位置する、ケーシング１２０の内ねじ山１２１に対して相補的である外ねじ山１２５を有する閉塞スリーブ１２２を備える。閉塞スリーブ１２２内には、その下端部に受け穴１２４をもつ中空シリンダ１５２を有する作動ねじ１２３が設けられる。この中空シリンダ１５２は、クランプアセンブリの調整ツールであるクランプアセンブリのヘッド３５を収容するために、確実嵌合（ｐｏｓｉｔｉｖｅ  ｆｉｔ）の相補となっている。
【００３０】
ケーシング１２０はさらに、閉塞スリーブ１２２の長手方向軸に対して直角の横スリット１２７を備える。横スリット１２７の開口は、内ねじ山１２１の下方の、連結ケーシング１２０の下部の「Ｃ」の開口端の側面にある。横スリット１２７の下には−開口「Ｃ」の両側部に−下側肩部１２９が設けられ、下側受け部開口１５４に突出してケーシング１２０の下端にフランジを提供する。上述のように、スリーブのＣ形状部は、内ねじ山１２１とは反対側に、下側受け部開口１５４を有する。内ねじ山に近接した、下側肩部１２９の他方の側部には、上方から閉塞スリーブ１２２によって部分的に塞がれた開口内に突出する、さらなる受け部肩部１２８が設けられる。
【００３１】
従って、この装置の機能は以下のとおりである。図１又は図２には１つの骨ピン２だけを示しているが、２つの骨ピン２が骨折部の両側で患者の骨に入れられる。ロッド１は骨折部に架橋され、２つのクランプアセンブリ３を介して上記両側の骨ピン２に接続される。下に位置するロッド１の長手方向軸の方向に、１つの骨ピン３を移動させるためには、骨折部の領域を圧縮して、又は引っ張って、クランプアセンブリ３の１つを移動させるが、その調整ツール１０の使用は図１及び２に示す。創外固定器のクランプアセンブリ３の２つの顎３０と３１はロッドを締め付け、クランプアセンブリ３の２つの顎３２と３３は骨ピン２を保持する。
【００３２】
調整ツール１０は、開いた「Ｃ」、即ち、側部開口１５０からクランプアセンブリ３の上側の２つの顎３２と３３の方に開いた「Ｃ」で示される。嵌合要素１２は上側の２つの顎３２と３３に押しつけられるので、これらは上側及び下側肩部１２８，１２９の間に位置される。骨ピン２はそれとともに横スリット１２７内に格納され、スリットの長さにより、水平軸内で骨ピン２を様々な方向に向けられる。骨ピン２は、図１に示すように、ロッド１に垂直である必要はない。骨ピン１は、下側顎３０，３１（より具体的には、ロッド１を受容する受け部３６）の位置と関連付けて、上側顎３２，３３（より具体的には、骨ピン２を受容する受け部３６）の位置によって方向づけられる。
【００３３】
クランプアセンブリ３の上部が嵌合要素１２のケーシング１２０内にあるときは、閉塞スリーブ１２２は、クランプアセンブリ３のヘッド１３５の方へ、ねじ山１２１、１２５の作用により下方へ回転する。これにより、閉塞スリーブ１２２の受け穴１２４にヘッド３５を導入することができる。上側顎３３上に閉塞スリーブ１２２を押し下げることにより確実嵌合ができると、閉塞スリーブ１２２の底面１２６が上記上側顎３３に接触し、このとき嵌合要素１２は創外固定器のクランプアセンブリ３に固定される。
【００３４】
続いて、位置決めクランプ１１もまた、ねじ１１２の作用により顎１１０，１１１を介してロッド１に取り付けられる。その後、位置決めクランプ１１と嵌合要素１２はクランプアセンブリ３でロッド１にしっかり固定される。上記のクランプアセンブリ３と位置決めアセンブリ１１はロッド１に固定されると、その後、ねじ歯車のヘッド１３４のヘッドがねじ歯車１３０によって位置決めクランプ１１と嵌合要素１２に力が加えられるまで回転し、調整ツールの使用者はそれに気付くことができる。 
【００３５】
この後、作動ヘッド１２３は回転されてクランプアセンブリ３を緩める。顎３２は下側肩部１２９に対して押されるので、ねじ３４のこの開口は骨ピン２を解放せず、底面１２６の上側顎に対する圧力と下側肩部１２９の当接作用により、骨ピン２はなお締め付けられるが、ロッド１を解放するために下側顎３０と３１だけを開いて、ロッド１の軸方向に全体としてクランプアセンブリ３を移動させることができる。
【００３６】
これは、ねじ歯車のヘッド１３４を回転させることにより達成され、それにより、連結体１３２内でねじ歯車１３０が回転して嵌合要素１２を引っ張り、クランプアセンブリ３は嵌合要素１２の内部で確実嵌合の状態になる。この引っ張り作用は位置決めクランプ１１の方向に作用する。もちろん、ヘッド１３４は反対の位置にも回転させることもでき、それにより嵌合要素１２を押して、クランプアセンブリ３を位置決めクランプ１１から離す。この種の動き、即ち、引っ張りか圧縮かは、２つのクランプアセンブリ３の間又は反対側のいずれかの、位置決めクランプ１１がロッドに固定されているサイドによって決まる。
【００３７】
下に位置するロッド１の長手方向軸の方向に一方の骨ピン２をずらすことは、ねじ歯車１３０のヘッド１３４の方へのねじ歯車１３０の移動に等しい。
【００３８】
嵌合要素１２の実施形態は、ねじ歯車１３０の位置決め穴と反対側の側部開口１５０を示す。別の実施形態では、ねじ歯車１３０に対して９０度の角度で開口を設けることが可能であり、このようにすると、引っ張り又は圧縮動作の方向ではない方向に「Ｃ」を開くことが可能となる。しかし、このときピン３は違う高さで、例えば、ねじ歯車１３０より低い高さで、収容されなければならない。
【００３９】
図示していない別の電動式の実施形態では、嵌合要素１２と連結要素１３を、図の実施形態と同様の長手方向の移動を提供する単一のサーボモータアセンブリに結合してもよい。このようなサーボモータアセンブリは、ケーシング１２０との固定接続を有し、上側構造面１１５との固定接続を提供する、又は有する。実際に、サーボモータアセンブリは、図示した実施形態のねじ歯車に置き換えられる。換言すれば、連結要素１３は嵌合要素１２に連結され、位置決めクランプ１１と固定可能に接続される延長可能な要素を有し、これにより嵌合要素１２と位置決めクランプ１１の間の並進移動を可能にし、機械的移動手段として機能する。
【００４０】
位置決めクランプ１１は連結要素１３と固定可能に接続され、固定接続にしないことが好ましい。固定可能接続により、例えば、軸を中心とした、位置決めクランプ１１と受け部１１４の回転を可能にする。
【００４１】
ピン１５１により、閉塞ヘッド１２２の内側に中空シリンダ１５２を、外側に作動ヘッドを保持することができる。また、ねじヘッド３５と係合させるために中空シリンダの長手方向移動を可能にする別の閉塞手段を使用することも可能である。原則として、要素１２３／１５２が閉塞スリーブ１２２から分離できることも認められる。
【００４２】
閉塞スリーブ１２２だけでなく肩部１２９も受け部１２８も内部断面を、特定のクランプアセンブリ３に適合させなければならないことは、当該分野の技術者には明らかである。しかし、ロッド対ロッド又はロッド対ピンの連結を使用目的とするどのようなクランプアセンブリも、嵌合要素の当接部に対してクランプの上から二番目の上側顎を閉塞し、閉塞スリーブ内の作動要素がクランプアセンブリの固定要素を作動させるために設けられ、骨ピンを解放することなくクランプアセンブリ内で創外固定器のロッドを解放する、このような構造で使用できることもまた明らかである。
【符号の説明】
【００４３】
１  ロッド
２  骨ピン
３  クランプアセンブリ
１０  圧縮ツール
１１  位置決めクランプ
１２  嵌合要素
１３  連結要素
３０  下側顎
３１  下側中間顎
３２  上側中間顎
３３  上側顎
３４  ねじ／閉塞シャフト
３５  閉塞要素ヘッド
３６  受け部
１１０  下側顎
１１１  上側顎
１１２  ねじ／閉塞シャフト
１１３  下側構造面
１１４  受け部
１１５  上側構造面
１１６  ワッシャ
１２０  ケーシング
１２１  内ねじ山
１２２  閉塞スリーブ
１２３  作動ヘッド
１２４  受け穴
１２５  外ねじ山
１２６  底面
１２７  横スリット
１２８  受け部
１２９  下側肩部
１３０  ねじ歯車
１３２  連結体
１３３  内ねじ山
１３４  ねじ歯車のヘッド
１３５  開口
１３６  対向ねじ
１３７  フランジ
１３８  中央穴
１３９  スリーブ
１５０  側部開口
１５１  ピン
１５２  中空シリンダ
１５３  下側開口
１５４  下側受け部開口
【図１】
0005873102.tif 000002
【図２】
0005873102.tif 000003
【図３】
0005873102.tif 000004
【図４】
0005873102.tif 000005
【図５】
0005873102.tif 000006